(57)【要約】【課題】補助印字体の印字内容を簡便にしかもより少ない手間で変更できる日付印を提供する。【解決手段】本体部１と、本体部１の下部に配置される印字部２とを備えており、印字部２に設けた印面台４に、マスター印５の印字面と、印字ユニット６の印字面と、印字内容を複数に変更できる補助印字体７の印字面とが配置してある。補助印字体７は、印字ユニット６の前後いずれか一側に配置される、印面部４５と、少なくとも一部が本体部１または印字部２の外に露出する状態で配置される操作部４６とを備えている。印面部４５は、複数の印字体４８を備えている。操作部４６で印面部４５を回転操作することにより印面部４５の印字面を変更できることを特徴とする。【選択図】図１
2015036204.tif 000002
【特許請求の範囲】
【請求項１】
本体部（１）と、本体部（１）の下部に配置される印字部（２）とを備えており、
印字部（２）に設けた印面台（４）に、マスター印（５）の印字面と、印字ユニット（６）の印字面と、印字内容を複数に変更できる補助印字体（７）の印字面とが配置してある日付印であって、
補助印字体（７）は、印字ユニット（６）の前後いずれか一側に配置される、複数の印字体（４８）を備えた印面部（４５）と、少なくとも一部が本体部（１）または印字部（２）の外に露出する状態で配置される操作部（４６）とを備えており、
操作部（４６）で印面部（４５）を回転操作することにより、印面部（４５）の印字面を変更できることを特徴とする日付印。
【請求項２】
本体部（１）に、ベルトフレーム（３０）と、同フレーム（３０）に組付けられる調整ダイヤル（３２）およびブリッジ（３３）と、複数の印字ベルト（３４）を含むベルト式の印字ユニット（６）が配置されており、
調整ダイヤル（３２）のダイヤル軸（３１）を本体部（１）の前後いずれか一方へ偏寄させて、調整ダイヤル（３２）の操作周面が本体部（１）の外へ露出されており、
ダイヤル軸（３１）の偏寄方向とは逆側の印字ベルト（３４）の移動軌跡に沿って設けた収容空間（４２）に、補助印字体（７）の印面部（４５）が収容してある請求項１に記載の日付印。
【請求項３】
収容空間（４２）に臨む印字ベルト（３４）の移行軌跡が、ブリッジ（３３）のベルト受面（３３ａ）と直交する向きに設定されており、
前記印字ベルト（３４）の移行軌跡と、この移行軌跡と正対するケース構造との間に設けた収容空間（４２）に補助印字体（７）の印面部（４５）が配置され、前記ケース構造の外面に操作部（４６）が配置してある請求項２に記載の日付印。
【請求項４】
本体部（１）が、印字ユニット（６）の外面を覆うカバー本体（１８）と、カバー本体（１８）の下部に配置されて補助印字体（７）を回転自在に支持するホルダー（１９）とを含み、
ホルダー（１９）は、印字ユニット（６）のベルトフレーム（３０）で前後スライド自在に案内支持されて、補助印字体（７）の印面部（４５）が印字ユニット（６）に隣接する印字位置と、印面部（４５）が印字ユニット（６）から離れる調整位置との間でスライド変位可能であり、
印面台（４）にホルダー（１９）の出入りを許すホルダー開口（１２）が形成されており、
ホルダー（１９）を調整位置に位置させて、印面部（４５）の少なくとも一部がホルダー開口（１２）から印面台（４）の外へ露出した状態において、操作部（４６）で印面部（４５）を回転操作して印字面を変更する請求項２または３に記載の日付印。
【請求項５】
ホルダー（１９）が、印字ユニット（６）のベルトフレーム（３０）と印面台（４）の内底壁でスライド案内される左右一対のスライド壁（５４）と、スライド壁（５４）の外端同士を繋ぐホルダー端壁（５５）とでコ字枠状に構成されており、
ホルダー端壁（５５）の内外に印面部（４５）と操作部（４６）とを配置して、印面部（４５）と操作部（４６）を連結する連結軸（５０）がホルダー端壁（５５）で回転自在に支持されており、
印字位置における印面部（４５）の外面が、印面台（４）と、ホルダー開口（１２）を塞ぐホルダー（１９）とで覆われている請求項４に記載の日付印。
【請求項６】
印字ベルト（３４）の周回軌跡の内部でブリッジ（３３）の上側に、補助印字体（７）をホルダー（１９）を介して押下げ付勢する補助印付勢構造が配置されており、
補助印付勢構造が、印字ユニット（６）のベルトフレーム（３０）に設けたガイド窓（３５）で上下スライド可能に支持される可動枠（６４）と、可動枠（６４）の上側に配置されてベルトフレーム（３０）で受止め支持される固定枠（６５）と、これら両枠（６４・６５）の間に配置されて可動枠（６４）を下向きに移動付勢する補助印ばね（６６）とで構成されており、
補助印字体（７）が補助印ばね（６６）で、可動枠（６４）とホルダー（１９）を介して下向きに移動付勢してある請求項４または５に記載の日付印。
【請求項７】
可動枠（６４）の左右端をスライド壁（５４）に開口したスライド窓（５６）に係合して、ホルダー（１９）がベルトフレーム（３０）と可動枠（６４）とで前後スライド自在に案内支持してある請求項６に記載の日付印。
【請求項８】
自由状態における補助印字体（７）の印字面が、マスター印（５）の印字面より下方へ僅かに突出させてあり、
可動枠（６４）の左右端が、ベルトフレーム（３０）のガイド窓（３５）で上下スライド可能に支持されて、固定枠（６５）に対して接離自在に支持されており、
捺印時における補助印字体（７）の上方移動動作を、可動枠（６４）で吸収できる請求項６または７に記載の日付印。
【請求項９】
補助印字体（７）の操作部（４６）と、本体部（１）または印字部（２）のいずれか一方に、補助印字体（７）の印字体（４８）に対応する複数の印字表示（５１）が設けてある請求項１から８のいずれかひとつに記載の日付印。
【請求項１０】
印面台（４）が本体部（１）に対して上下スライド可能に連結されて、マスター印（５）の印字面と印字ユニット（６）の印字面とが面一になる捺印姿勢と、印字ユニット（６）の印字面が印面台（４）の印字窓（１３）の窓内面から相対的に離脱する印面調整姿勢とに変位操作でき、
補助印字体（７）は、印面台（４）を印面調整姿勢にした状態において、その印面部（４５）の印字体（４８）が印面台（４）の補助印字窓（１４）の窓内面から相対的に離脱して印字面を変更操作でき、
本体部（１）と印面台（４）との間に、印面台（４）が捺印姿勢から印面調整姿勢に変位操作されるのを規制するロック構造が設けてある請求項１から９のいずれかひとつに記載の日付印。
【請求項１１】
ロック構造が、印面台（４）に連結されてカバー本体（１８）で上下スライド可能に支持される左右一対のサイドカバー（２０）と、
カバー本体（１８）で回転変位可能に支持されて、サイドカバー（２０）の下方移動を許すロック解除姿勢と、サイドカバー（２０）の下方移動を規制するロック姿勢とに変位できるカバーロック体（７３）と、
カバーロック体（７３）をロック姿勢とロック解除姿勢とに切換え操作するシリンダー錠（７２）とを備えており、
カバーロック体（７３）およびシリンダー錠（７２）が、ベルトフレーム（３０）の上部に設けた調整ダイヤル（３２）の上側に配置してある請求項１０に記載の日付印。
【請求項１２】
印面台（４）の内部に、印字ユニット（６）と、補助印字体（７）の印面部（４５）とが収容されており、
印字ユニット（６）は、着脱可能な複数の要素印判（１０５）を接続して構成される組合わせ印からなり、
補助印字体（７）の印面部（４５）が、印字ユニット（６）の前後いずれか一側に配置されて、操作部（４６）が印面台（４）の外に露出させてある請求項１に記載の日付印。
【発明の詳細な説明】
【技術分野】
【０００１】
本発明は、例えば受付印や領収印として使用される日付印に関し、なかでも、捺印者の氏名や固有番号などを印字する補助印字体を備えている日付印に関する。
【背景技術】
【０００２】
この種の日付印は、例えば特許文献１に開示されている。そこでは、握りとリングとホルダーの三者で日付印本体を構成している。ホルダーの下部には印判部が設けてあり、印判部は、下面にマスター印が固定してある印受と、印受に対して差換え可能に装着される２種類のスティック印とで構成してある。マスター印は、例えば会社名や行政機関名などを印字する固定印字部を備えている。スティック印のひとつは、複数の要素印判を連結して構成した組合わせ印型の印字ユニットであって、要素印判の組合わせを変更することにより、例えば年号、月、日などの捺印日付を変更できる。もうひとつのスティック印は、例えば捺印者の氏名を印字する補助印字体からなり、捺印者が異なるごとにスティック印を差換えることにより、印字される捺印者名を変更することができる。
【０００３】
上記の組合わせ印型の印字ユニットに換えて、印字ベルト式の印字ユニットを備えた日付印が特許文献２に開示されている。そこでは、差換え印からなる補助印字体を、印字ユニットを支持する外枠部材に対して差換え可能としている。詳しくは、マスター印を備えた固定印（印面台）を外枠部材に対して下方スライドさせて、固定印を印字ベルトの回動軌跡から退避させ、この状態で補助印字体を外枠部材に着脱している。本出願人の提案に係る特許文献３の差換え印付きの回転ゴム印も、特許文献２の日付印と同じ趣旨の日付印であって、必要に応じて差換え印（補助印字体）を差換えることにより、捺印者の氏名や固有番号などを印字することができる。
【先行技術文献】
【特許文献】
【０００４】
【特許文献１】特許第３６８８７６９号公報（段落番号０００６〜０００７、図１）
【特許文献２】特開２０１１−１７７９３６号公報（段落番号００１６、図３）
【特許文献３】特許第５０９６８９２号公報（段落番号００４０、図４）
【発明の概要】
【発明が解決しようとする課題】
【０００５】
上記のように従来の日付印においては、補助印字体を差換え印で構成している。そのため、補助印字体の印字内容を変更するごとに、日付印本体を差換え可能な状態にしたうえで、補助印字体を差換え操作しなければならず、補助印字体を差換えするための一連の作業が煩雑であった。また、補助印字体は印字すべき内容に応じて複数個を用意しておく必要があるが、補助印字体の管理が不適切であると、不使用時の補助印字体を紛失するおそれがある。さらに、補助印字体を差換える際に、印字面に付着したインクで手指を汚してしまうことがある。
【０００６】
本発明の目的は、補助印字体の印字内容を簡便にしかもより少ない手間で変更できる日付印を提供することにある。
本発明の目的は、不使用時の補助印字体の紛失を一掃でき、しかも、補助印字体の印字面の変更時に手指にインクが付着するのを一掃できる、使い勝手に優れた日付印を提供することにある。
【課題を解決するための手段】
【０００７】
本発明に係る日付印は本体部１と、本体部１の下部に配置される印字部２とを備えており、印字部２に設けた印面台４に、マスター印５の印字面と、印字ユニット６の印字面と、印字内容を複数に変更できる補助印字体７の印字面とが配置してある。補助印字体７は、印字ユニット６の前後いずれか一側に配置される、複数の印字体４８を備えた印面部４５と、少なくとも一部が本体部１または印字部２の外に露出する状態で配置される操作部４６とを備えている。操作部４６で印面部４５を回転操作することにより印面部４５の印字面を変更できることを特徴とする。
【０００８】
本体部１に、ベルトフレーム３０と、同フレーム３０に組付けられる調整ダイヤル３２およびブリッジ３３と、複数の印字ベルト３４を含むベルト式の印字ユニット６を配置する。調整ダイヤル３２のダイヤル軸３１を本体部１の前後いずれか一方へ偏寄させて、調整ダイヤル３２の操作周面を本体部１の外へ露出させる。ダイヤル軸３１の偏寄方向とは逆側の印字ベルト３４の移動軌跡に沿って設けた収容空間４２に、補助印字体７の印面部４５を収容する。
【０００９】
収容空間４２に臨む印字ベルト３４の移行軌跡を、ブリッジ３３のベルト受面３３ａと直交する向きに設定する。印字ベルト３４の移行軌跡と、この移行軌跡と正対するケース構造との間に設けた収容空間４２に補助印字体７の印面部４５を配置し、ケース構造の外面に操作部４６を配置する。
【００１０】
本体部１は、印字ユニット６の外面を覆うカバー本体１８と、カバー本体１８の下部に配置されて補助印字体７を回転自在に支持するホルダー１９とを含む。ホルダー１９は、印字ユニット６のベルトフレーム３０で前後スライド自在に案内支持されて、補助印字体７の印面部４５が印字ユニット６に隣接する印字位置と、印面部４５が印字ユニット６から離れる調整位置との間でスライド変位可能である。印面台４にホルダー１９の出入りを許すホルダー開口１２を形成する。ホルダー１９を調整位置に位置させて、印面部４５の少なくとも一部がホルダー開口１２から印面台４の外へ露出した状態において、操作部４６で印面部４５を回転操作して印字面を変更する。
【００１１】
ホルダー１９は、印字ユニット６のベルトフレーム３０と印面台４の内底壁でスライド案内される左右一対のスライド壁５４と、スライド壁５４の外端同士を繋ぐホルダー端壁５５とでコ字枠状に構成する。ホルダー端壁５５の内外に印面部４５と操作部４６とを配置して、印面部４５と操作部４６を連結する連結軸５０をホルダー端壁５５で回転自在に支持する。印字位置における印面部４５の外面を、印面台４と、ホルダー開口１２を塞ぐホルダー１９とで覆う。
【００１２】
印字ベルト３４の周回軌跡の内部でブリッジ３３の上側に、補助印字体７をホルダー１９を介して押下げ付勢する補助印付勢構造を配置する。補助印付勢構造は、印字ユニット６のベルトフレーム３０に設けたガイド窓３５で上下スライド可能に支持される可動枠６４と、可動枠６４の上側に配置されてベルトフレーム３０で受止め支持される固定枠６５と、これら両枠６４・６５の間に配置されて可動枠６４を下向きに移動付勢する補助印ばね６６とで構成する。補助印字体７は補助印ばね６６で、可動枠６４とホルダー１９を介して下向きに移動付勢する。
【００１３】
可動枠６４の左右端をスライド壁５４に開口したスライド窓５６に係合して、ホルダー１９をベルトフレーム３０と可動枠６４とで前後スライド自在に案内支持する。
【００１４】
自由状態における補助印字体７の印字面を、マスター印５の印字面より下方へ僅かに突出させる。可動枠６４の左右端は、ベルトフレーム３０のガイド窓３５で上下スライド可能に支持されて、固定枠６５に対して接離自在に支持されている。捺印時における補助印字体７の上方移動動作を、可動枠６４で吸収する。
【００１５】
補助印字体７の操作部４６と本体部１とのいずれか一方に、補助印字体７の印字体４８に対応する複数の印字表示５１を設ける。
【００１６】
印面台４は本体部１に対して上下スライド可能に連結されて、マスター印５の印字面と印字ユニット６の印字面とが面一になる捺印姿勢と、印字ユニット６の印字面が印面台４の印字窓１３の窓内面から相対的に離脱する印面調整姿勢とに変位操作できる。補助印字体７は、印面台４を印面調整姿勢にした状態において、その印面部４５の印字体４８が印面台４の補助印字窓１４の窓内面から相対的に離脱して印字面を変更操作できる。本体部１と印面台４との間に、印面台４が捺印姿勢から印面調整姿勢に変位操作されるのを規制するロック構造を設ける。
【００１７】
ロック構造は、印面台４に連結されてカバー本体１８で上下スライド可能に支持される左右一対のサイドカバー２０と、カバー本体１８で回転変位可能に支持されて、サイドカバー２０の下方移動を許すロック解除姿勢と、サイドカバー２０の下方移動を規制するロック姿勢とに変位できるカバーロック体７３と、カバーロック体７３をロック姿勢とロック解除姿勢とに切換え操作するシリンダー錠７２とを備えている。カバーロック体７３およびシリンダー錠７２は、ベルトフレーム３０の上部に設けた調整ダイヤル３２の上側に配置する。
【００１８】
印面台４の内部に、印字ユニット６と、補助印字体７の印面部４５とを収容する。印字ユニット６は、着脱可能な複数の要素印判１０５を接続して構成される組合わせ印からなる。補助印字体７の印面部４５を、印字ユニット６の前後いずれか一側に配置して、操作部４６を印面台４の外に露出させる。
【発明の効果】
【００１９】
本発明は、印面台４にマスター印５の印字面と、印字ユニット６の印字面と、補助印字体７の印字面が配置してある日付印において、補助印字体７を、印字ユニット６の前後いずれか一側に配置される印面部４５と、その一部が本体部１または印字部２の外に露出する状態で配置される操作部４６などで構成した。また、操作部４６で印面部４５を回転操作することにより印面部４５の印字面を変更できるようにした。このように、本発明に係る日付印においては、印字部２を日付変更が可能な状態にしたのち、単に操作部４６を回転操作するだけで印面部４５の印字面を変更することができる。従って、補助印字体が差換え印で構成されていた従来の日付印に比べて、補助印字体７の印字内容を簡便にしかもより少ない手間で変更できる。また、補助印字体７の印面部４５には、変更すべき印字内容に対応した複数の印字体４８が設けてあるので、使用していない状態の補助印字体の保管や管理を行う必要がなく、従って、不使用時の補助印字体７の紛失を一掃できる。さらに、補助印字体７の印字体４８の変更時に手指にインクが付着するのを一掃して、日付印の使い勝手を向上できる。
【００２０】
印字ユニット６をベルト式の印字ユニットで構成し、ダイヤル軸３１を本体部１の前後いずれか一方へ偏寄させて、調整ダイヤル３２の操作周面を本体部１の外へ露出させると、ダイヤル軸３１の偏寄方向とは逆側に充分な大きさの収容空間４２を確保することができる。このように、ダイヤル軸３１が偏寄配置してある日付印によれば、ベルト式の印字ユニットにおいて不可欠である調整ダイヤル３２の回転操作を可能としながら、印字ベルト３４の移動軌跡に沿って設けた収容空間４２に、補助印字体７の印面部４５を支障なく収容できるので、日付印がいたずらに大形化するのを回避できる。従って、従来にない補助印字体７を備えているにも拘らず、日付印の全体をコンパクトにまとめて小形化できる。
【００２１】
収容空間４２に臨む印字ベルト３４の移行軌跡が、ブリッジ３３のベルト受面３３ａと直交する向きに設定してあると、収容空間４２の前後幅が収容空間４２の上部になるほど小さくなるのを防止しながら、収容空間４２の空間量をさらに拡大することができる。従って、補助印字体７の印面部４５を収容空間４２の内部に好適な姿勢で配置して、使用時に印面部４５が印字ベルト３４と接当干渉するのを確実に防止できる。また、操作部４６をケース構造の外面に配置することにより、操作部４６を手指で直接回転操作して、印面部４５の印字面を簡単に変更することができる。
【００２２】
カバー本体１８とホルダー１９などで本体部１を構成し、ホルダー１９で補助印字体７を回転自在に支持する日付印によれば、ホルダー１９を印字位置から調整位置へスライド操作して、印面部４５の少なくとも一部がホルダー開口１２から印面台４の外へ露出した状態（図１４参照）で、印面部４５の印字面を変更することができる。換言すると、印面部４５を印字ユニット６から充分に遠ざけた状態で、印面部４５の印字面を変更することができる。従って、印面部４５の印字面を変更する際に、印面部４５が印字ベルト３４と接当干渉するのをさらに確実に防止して、印面部４５の印字面の変更を的確に行なうことができる。
【００２３】
ホルダー１９を、一対のスライド壁５４とホルダー端壁５５とでコ字枠状に構成して、ホルダー端壁５５の内外に印面部４５と操作部４６を配置し、これら両者４５・４６を連結する連結軸５０をホルダー端壁５５で回転自在に支持すると、補助印字体７をホルダー端壁５５で安定した状態で支持できる。また、連結軸５０をホルダー端壁５５で回転自在に支持することにより、マスター印５に対する印面部４５の上下位置をより正確に設定できる。また、印字位置における印面部４５の外面を、印面台４と、ホルダー開口１２を塞ぐホルダー１９とで覆うことにより、不使用状態の印字体４８の表面に塵埃が付着するのを防止できるので、全体として印字体４８による印字品質が徐々に低下するのを防止できる。
【００２４】
可動枠６４と、固定枠６５と、これら両枠６４・６５の間に配置した補助印ばね６６とで補助印付勢構造を構成し、同構造を印字ベルト３４の周回軌跡の内部でブリッジ３３の上側に配置する日付印によれば、補助印字体７を、補助印ばね６６の付勢力で可動枠６４とホルダー１９を介して下向きに移動付勢することができる。従って、補助印字体７の印面部４５を捺印紙面に対して強制的に密着させて、印字体４８による印字文字がかすれるのを確実に防止できる。また、印字ベルト３４の周回軌跡の内部でブリッジ３３の上側のデッドスペースを利用して補助印付勢構造を配置するので、日付印が大形化するのを避けながら、補助印字体７を下向きに移動付勢できる。
【００２５】
可動枠６４の左右端をスライド壁５４に開口したスライド窓５６に係合して、ホルダー１９をベルトフレーム３０と可動枠６４とで前後スライド自在に案内支持すると、印面台４を印面調整姿勢にする際に、ホルダー１９が下降移動するのを確実に防止できる。また、ホルダー１９を印字位置と調整位置との間でスライド操作する際に、ホルダー１９が不必要に上下動するのを可動枠６４で規制できるので、ホルダー１９を常に安定した状態で前後スライド操作して、印面部４５の印字体４８の切換えを的確に行うことができる。
【００２６】
自由状態における補助印字体７の印字面を、マスター印５の印字面より下方へ僅かに突出させておき、捺印時における補助印字体７の上方移動動作を可動枠６４で吸収できるようにすると、捺印時の捺印反力の大半を可動枠６４に吸収させることができる。従って、印面部４５の印字体４８に過剰な捺印反力が作用するのを防止して、印字文字が潰れたりかすれてしまうのを確実に防止して、補助印字体７による印字を的確に行うことができる。
【００２７】
補助印字体７の操作部４６と本体部１とのいずれか一方に、補助印字体７の印字体４８に対応する複数の印字表示５１を設けると、印字表示５１の表示内容を確認するだけで、補助印字体７で印字される印字内容を明確に知ることができる。従って、印面部４５を操作部４６で回転操作して、補助印字体７の印字内容を変更した場合に、日付印を試しに捺印して印字内容を確かめるなどの手間を省いて、補助印字体７の印字内容の変更に要する一連の手間を簡素化できる。
【００２８】
本体部１と印面台４との間に、印面台４が捺印姿勢から印面調整姿勢に変位操作されるのを規制するロック構造を設けると、印字ユニット６の印字内容や、補助印字体７の印字内容が、捺印者によって意図的に変更されるのを規制することができる。従って、日付印が受付印や領収印として使用される際の、印字内容の信頼性を向上することができる。
【００２９】
一対のサイドカバー２０と、カバーロック体７３と、シリンダー錠７２などでロック構造を構成すると、シリンダー錠７２を鍵８６で解錠操作しない限りは、印面台４を印面調整姿勢に変位操作して、印字ユニット６の印字内容や、補助印字体７の印字内容を変更することはできない。従って、例えば鍵８６を一括して管理するだけで、受付印や領収印として使用される日付印の印字内容が適正であることを保証できる。また、調整ダイヤル３２の上側にカバーロック体７３およびシリンダー錠７２を配置するので、印字ユニット６の内部にシリンダー錠７２やカバーロック体７３を配置する場合に比べて設計の自由度が高く、しかも市販のシリンダー錠７２であっても支障なく本体部１に組込むことができる。
【００３０】
印面台４の内部に収容される印字ユニット６を組合わせ印で構成し、補助印字体７の印面部４５と操作部４６とを、印面台４の内外に配置する日付印によれば、ベルト式の印字ユニット６を備えている日付印に比べて、日付印の全体構造を簡素化しながら、印面部４５の印字面の変更を簡単に行なうことができる。また、従来の印面台４の構造の一部を変更するだけで補助印字体７を付加できるので、補助印字体７を備えた日付印を低コストで提供できる。
【図面の簡単な説明】
【００３１】
【図１】本発明に係る日付印の縦断側面図である。
【図２】本発明に係る日付印の側面図である。
【図３】本発明に係る日付印のケース構造を示す分解斜視図である。
【図４】本体部からグリップを分離した状態の日付印の正面図である。
【図５】補助印字体とそのホルダーを示す分解斜視図である。
【図６】本発明に係る日付印の内部構造を示す縦断正面図である。
【図７】図１におけるＡ−Ａ線断面図である。
【図８】図１におけるＢ−Ｂ線断面図である。
【図９】本発明に係る日付印のロック構造を示す分解斜視図である。
【図１０】印面台を印面調整姿勢に変位操作した状態の本体部の側面図である。
【図１１】印面台を印面調整姿勢に変位操作した状態の本体部の縦断正面図である。
【図１２】図６におけるＣ−Ｃ線断面図である。
【図１３】図１１におけるＤ−Ｄ線断面図である。
【図１４】補助印字体の印字面の変更要領を示す縦断側面図である。
【図１５】捺印時における補助印字体の移動動作を示す一部破断側面図である。
【図１６】補助印字体の別の実施例を示す要部の縦断側面図である。
【図１７】図１６に係る補助印字体の印字表示構造を示す背面図である。
【図１８】補助印字体のさらに別の実施例を示す要部の縦断側面図である。
【図１９】図１８に係る日付印の側面図である。
【図２０】図１８におけるＥ−Ｅ線断面図である。
【図２１】図１８におけるＦ−Ｆ線断面図である。
【図２２】図１８に係る補助印字体の分解断面図である。
【図２３】補助印字体のさらに別の実施例を示す要部の縦断側面図である。
【発明を実施するための形態】
【００３２】
（実施例）  図１ないし図１５は、本発明に係る日付印の実施例を示す。なお、本発明における前後、左右、上下とは、図２および図３に示す交差矢印と、各矢印の近傍に表記した前後、左右、上下の表示に従う。図２において、日付印は本体部１と、本体部１の下部に配置される印字部２と、本体部１の上部に装着されるグリップ３とを備えている。印字部２には印面台４が設けてあり、印面台４の下面にマスター印５の印字面と、印字内容が変更可能な印字ユニット６の印字面と、印字内容を複数に変更できる補助印字体７の印字面とが配置してある。グリップ３は、本体部１に対して着脱可能に装着してあるが、その詳細は後述する。
【００３３】
印面台４は、前壁および左右壁を備えた断面コ字形のスライド枠１０と、スライド枠１０の下面に連続する円形の座壁１１とを一体に備えたプラスチック成形品からなり、座壁１１の下面側にマスター印５が固定してある。マスター印５には会社名、銀行名、あるいは行政機関名などを印字する固定印字部が設けてある。スライド枠１０の後面には、後述するホルダー１９の出入りを許すホルダー開口１２が形成してある。また、座壁１１およびマスター印５の前後中央には、印字ユニット６の印字面を捺印面側へ露出させる印字窓１３が形成され、この印字窓１３の後側に連続して、補助印字体７の印字面を捺印面側へ露出させる補助印字窓１４が形成してある。スライド枠１０の左右壁の上半部は、部分円弧状に膨出してあり、膨出壁の内面に後述するサイドカバー２０を係合連結するための水平の係合リブ１５が一体に形成してある（図３参照）。印面台４は、本体部１に対して上方の捺印姿勢と、下方の印面調整姿勢とに変位操作できるように装着するが、その詳細は後述する。
【００３４】
本体部１は、印字ユニット６の外面を覆うカバー本体１８と、カバー本体１８の下部に配置されて補助印字体７を回転自在に支持するホルダー１９と、カバー本体１８の左右側面を覆う左右一対のサイドカバー２０などで構成する。カバー本体１８は、それぞれプラスチック成形品からなる前カバー１８ａと後カバー１８ｂとで構成してあり、両カバー１８ａ・１８ｂで印字ユニット６を前後に挟み、両カバー１８ａ・１８ｂの接合面に設けた凹凸係合体２８（図１２参照）を互いに係合することにより一体化してある。
【００３５】
図３に示すように、カバー本体１８の上部には、グリップ３を連結するためのグリップボス２１が、上向きに突設してあり、その周面の対向位置にバヨネット溝２２が形成してある。グリップ３の下部には、グリップボス２１に外嵌する接続リング２３が設けてあり、その内面の対向位置にバヨネット溝２２と係合する四角形状の係合突起２４が形成してある（図４参照）。前カバー１８ａの前面の上部寄りと、後カバー１８ｂの後面の上部寄りには、それぞれ調整窓２５が開口してあり、その上側の壁が部分円弧状に膨出してある。また、両カバー１８ａ・１８ｂの左右の接合部分の上部にはロック窓２６が開口され、ロック窓２６の下側には、サイドカバー２０をスライド案内するガイドリブ２７が突設してある。
【００３６】
印字ユニット６は、左右壁と上壁を備えた門形のベルトフレーム（フレーム）３０と、同フレーム３０でダイヤル軸３１を介して回転自在に支持される調整ダイヤル３２と、ベルトフレーム３０の下端に装着されるブリッジ３３と、調整ダイヤル３２とブリッジ３３に巻掛けられる５本の印字ベルト３４などで、ベルト式の印字ユニットとして構成してある。印字ベルト３４は、日付印に多用されている周知のゴムベルトからなり、その外面には和暦または西暦の年号と、月、日を印字するための印字ブロックが一定間隔おきに設けてある。印字ユニット６は、５本の印字ベルト３４を調整ダイヤル３２で回転操作することにより、和暦または西暦の年号と、月、日を自在に変更できる。
【００３７】
ベルトフレーム３０の左右壁の下端寄りで、ブリッジ３３の上側には、後述する補助印付勢構造を組付けるためのガイド窓３５が開口してある。ベルトフレーム３０の上壁の上面には高さ調整ボルト３６が上向きに突設してあり、同ボルト３６に調整リング３７がねじ込んである。調整リング３７の上部には周回溝３８が形成してあり、この周回溝３８を前後カバー１８ａ・１８ｂの内面に設けた支持壁３９で係合保持することにより、調整リング３７がカバー本体１８で回転自在に支持されている（図１参照）。カバー本体１８に組付けられた調整リング３７の前後周面は、カバー本体１８の調整窓２５の外に露出している。
【００３８】
図１に示すように、調整ダイヤル３２のダイヤル軸３１は、本体部１の前側へ偏寄配置してある。詳しくは、ダイヤル軸３１をベルトフレーム３０の前後中央より前側に偏寄する状態で配置して、印字ベルト３４の周回軌跡が、前側では調整ダイヤル３２の側からブリッジ３３へ向かって下り傾斜し、後側では調整ダイヤル３２とブリッジ３３との間が垂直になるようにして、後側の印字ベルト３４の移動軌跡をブリッジ３３のベルト受面３３ａと直交させている。このように、ダイヤル軸３１を偏寄配置することにより、調整ダイヤル３２は、その前側の操作周面が本体部１の外へ露出する。また、印字ベルト３４の後側の垂直の移動軌跡と、この移動軌跡と正対するケース構造との間、つまり、印字ベルト３４の後側に収容空間４２を確保して、同空間４２の内部に補助印字体７の印面部４５を収容している。前カバー１８ａの前面には前突状の膨出壁４３を設けて、各膨出壁４３の間に調整ダイヤル３２を露出させるためのスリットを設けている。
【００３９】
図５において、補助印字体７は印面部４５と、印面部４５を回転操作する操作部４６とを備えている。印面部４５は、プラスチック成形品からなる正方形筒状の支持体４７と、支持体４７の四周面に固定される４種類のゴム製の印字体４８とで構成する。操作部４６は、隅部が丸められた正方形状の操作ノブ４９と、操作ノブ４９の前面に設けた連結軸５０とを一体に備えたプラスチック成形品からなる。図５に示すように、操作ノブ４９の各周面には、各印字体４８に対応する複数の印字表示５１が固定してある。この実施例では、４名の捺印者の氏名を印字体４８で印字するので、各印字表示５１には氏名表示を設けるようにした。
【００４０】
ホルダー１９は、左右一対のスライド壁５４と、スライド壁５４の外端同士を繋ぐホルダー端壁５５とを備えたコ字枠状のプラスチック成形品からなる。各スライド壁５４には長方形状のスライド窓５６が形成され、ホルダー端壁５５には先の連結軸５０を軸支する軸受穴５７が形成してある。また、一対のスライド壁５４とホルダー端壁５５との外隅部分には、印面台４のホルダー開口１２の左右側縁の上半部で受止められる規制リブ５８と、先のホルダー開口１２の下半部側の左右側縁５９と係合する段部６０とが設けてある。補助印字体７は、その印面部４５と操作部４６がホルダー端壁５５の内外に密着する状態で組付けられて、連結軸５０のねじ軸部にナット６１をねじ込むことによりホルダー１９と一体化してある。この組付け状態において、支持体４７の下面側に位置する印字体４８の印字内容と、操作ノブ４９の上面に位置する印字表示５１の表示内容とは一致している。また、操作部４６を回転した状態においても、印字体４８の印字内容と、印字表示５１の表示内容とは一致している。従って、使用者は印字表示５１の表示内容を確認するだけで、補助印字体７で印字される捺印者の氏名を明確に知ることができる。
【００４１】
ホルダー１９は、図６に示すように左右のスライド壁５４を、ガイド窓３５の周縁壁を含むベルトフレーム３０の左右壁で受止め、さらにスライド壁５４の下端を印面台４の内底壁で受止めることにより、前後スライド自在に案内支持してある。また、ガイド窓３５に組付けた可動枠６４の左右端を、スライド壁５４に開口したスライド窓５６に係合することにより、ホルダー１９をベルトフレーム３０の左右壁と可動枠６４とで前後スライド自在に支持している。ベルトフレーム３０に組付けた状態のホルダー１９は、補助印字体７の印面部４５が印字ユニット６に隣接する印字位置（図１に示す状態）と、印面部４５が印字ユニット６から後方へ離れる調整位置（図１４に示す状態）との間を前後にスライド変位できる。印字位置におけるホルダー１９の規制リブ５８は、印面台４のホルダー開口１２の左右側縁の上半部で受止められており、さらに、段部６０がホルダー開口１２の下半側の左右側縁５９と係合している。従って、印面台４を上方の捺印姿勢から、下方の印面調整姿勢に変位操作しない限りは、ホルダー１９をホルダー開口１２の外へ引出し操作することはできない。規制リブ５８は、ホルダー１９を印面台４に対して出入れするときの操作つまみを兼ねている。
【００４２】
印字ベルト３４の周回軌跡の内部でブリッジ３３の上側には、補助印字体７をホルダー１９を介して押下げ付勢する補助印付勢構造が設けてある。図１、図３、図６および図７に示すように補助印付勢構造は、ベルトフレーム３０に設けたガイド窓３５で上下スライド可能に支持される可動枠６４と、可動枠６４の上側に配置されてガイド窓３５の上開口部で受止め支持される固定枠６５と、これら両枠６４・６５の間に配置されて可動枠６４を下向きに移動付勢する補助印ばね６６とで構成する。
【００４３】
可動枠６４は、上向きに開口する断面コ字状の枠体からなり、その左右両端の下面にガイド窓３５の下周縁壁に係合する脚片６７が下向きに突設してある。また、可動枠６４の内面には、固定枠６５を相対スライド可能に案内する４個のガイド壁６８が上向きに突設してある。固定枠６５は左右に長いＩ字状の棒体からなり、その左右中央の下面側に補助印ばね６６用のばね座６９が凹み形成してある。可動枠６４と固定枠６５と補助印ばね６６を組付けた状態で、補助印ばね６６の付勢力に抗しながら可動枠６４と固定枠６５を接近操作し、この状態で可動枠６４と固定枠６５を左右のガイド窓３５に挿通することにより、補助印付勢構造をベルトフレーム３０と一体化できる。また、補助印字体７が組付けられたホルダー１９のスライド壁５４を拡開操作しながら、スライド窓５６を可動枠６４の両側端に係合することにより、ホルダー１９をベルトフレーム３０と一体化できる。この状態のホルダー１９に、印面台４が下方から組付けられる。
【００４４】
上記のように、印字ユニット６にカバー本体１８とホルダー１９を組み、さらにホルダー１９に印面台４を組んだ自由状態においては、図１に示すように、マスター印５の印字面と印字ユニット６の印字面とは同一平面上に位置している。しかし、自由状態における補助印字体７の印字面は、マスター印５の印字面より下方へ僅かに突出させてある。これは、補助印字体７に高さ調整構造を付加すると、補助印字体７の周辺構造がいたずらに複雑化して組立てが煩雑化するのを避けるためであり、さらに、始めから補助印字体７の印字面をマスター印５の印字面より下方へ突出させておくことにより、印字された文字がかすれるのを確実に防ぐためである。因みに、印字ユニット６は、必要に応じて調整リング３７を回転することでその印字面の高さを調整して、マスター印５の印字面位置に合致させることができる。
【００４５】
この実施例に係る日付印には、印字ユニット６の印字内容や、補助印字体７の印字内容が、捺印者によって意図的に変更されるのを防ぐために、本体部１と印面台４との間に、印面台４が捺印姿勢から印面調整姿勢に変位操作されるのを規制するロック構造を設けている。ロック構造は、カバー本体１８の上部に組込まれるシリンダー錠７２と、シリンダー錠７２で回転操作されるカバーロック体７３と、カバー本体１８で上下スライド可能に支持される左右一対のサイドカバー２０（図３参照）などで構成する。
【００４６】
シリンダー錠７２は市販品であって、その上面に設けたフランジ壁７５と錠本体のねじ軸にねじ込んだナット７６とで、カバー本体１８の錠受座７７を上下に挟持して、カバー本体１８に固定してある（図６参照）。図９に示すように、カバーロック体７３は、上下中央の連結壁８０と、連結壁８０の周囲の部分円弧状の一対のロック壁８１とを一体に備えた、縦断面がＨ字状のプラスチック成形品からなり、両ロック壁８１の間には、サイドカバー２０の下方移動を許すアンロック溝８２が切欠き形成してある。連結壁８０の中央には小判型の連結穴８３が形成してあり、この連結穴８３にシリンダー錠７２の出力軸８４を係合して、ナット８５を出力軸８４のねじ軸にねじ込むことにより、カバーロック体７３が先の出力軸８４と同行回転可能に一体化してある。シリンダー錠７２の鍵穴に鍵８６を差込んで、出力軸８４を回転操作することにより、カバーロック体７３の姿勢をロック姿勢とロック解除姿勢とに切換えることができる。
【００４７】
図３においてサイドカバー２０は、横断面が樋状の縦長のプラスチック成型品からなり、その内面の前後中央にスライド溝８８が形成してあり、スライド溝８８を区画する前後のリブの上端に連続して一対のロック爪８９が突設してある。また、サイドカバー２０の下部には、印面台４の係合リブ１５と係合する連結爪９０が下向きに突設してある。サイドカバー２０は、そのスライド溝８８がガイドリブ２７と係合する状態でカバー本体１８の左右に装着されており、この状態の一対のロック爪８９はロック窓２６からカバー本体１８の内部に入込んでいる。また、連結爪９０は印面台４の内部左右に入り込んで係合リブ１５と係合している（図６参照）。
【００４８】
ロック構造がシリンダー錠７２でロック状態に切換えられている状態では、図６に示すように、サイドカバー２０のロック爪８９はロック壁８１の上端面で受止められている。そのため、連結爪９０と係合リブ１５を介してサイドカバー２０に連結された印面台４は、上方の捺印姿勢に位置保持されている。従って、シリンダー錠７２を鍵８６で解錠操作しない限りは、印面台４を下方の印面調整姿勢に変位操作することはできず、印字ユニット６の印字内容はもちろん、補助印字体７の印字内容を変更することはできない。
【００４９】
印字ユニット６および補助印字体７の印字内容を変更する場合には、図１０に示すように、グリップ３をカバー本体１８のグリップボス２１から取外して、シリンダー錠７２の上面を露出させる。この状態のサイドカバー２０のロック爪８９は、図６および図１２に示すように、カバーロック体７３のロック壁８１の上端面で受け止められている。次に、シリンダー錠７２の鍵穴に鍵８６を差込んでシリンダー錠７２を解錠操作することにより、図１３に示すようにカバーロック体７３をロック解除姿勢に切換えて、アンロック溝８２をサイドカバー２０のロック爪８９と正対する向きに変位させる。さらに図１１に示すように、印面台４とサイドカバー２０をカバー本体１８に対して下降操作して、印面台４を印面調整姿勢に変位させる。
【００５０】
印面台４を印面調整姿勢に変位させた状態では、図１１に示すように、印字ユニット６の下端の印字ブロックが印面台４の印字窓１３から相対的に離脱するので、調整ダイヤル３２を操作して日付の変更を行なうことができる。また、図１０に示すように、印面台４のホルダー開口１２の左右側縁５９が段部６０から分離し、さらに、補助印字体７の下面の印字体４８が印面台４の補助印字窓１４から相対的に離脱するので、ホルダー１９を印字位置から調整位置へ引出すことができる。図１４に示すように、調整位置へ引出された補助印字体７は、その周辺に印面部４５と接当干渉するケース構造がないので、操作部４６を単に回転操作するだけで印字内容を簡単に変更することができる。こののち、ホルダー１９を印字位置へ戻し、印面台４を捺印姿勢に戻すことにより、サイドカバー２０が印面台４に同行移動して、そのロック爪８９がカバーロック体７３のアンロック溝８２の上方まで上昇する。この状態で、シリンダー錠７２を施錠操作することにより、カバーロック体７３をロック状態に切換えて、印字ユニット６と補助印字体７の印字内容の変更を再び規制することができる。
【００５１】
上記の印字内容の変更に係る一連の作業は、捺印者が、鍵８６の管理者に印字内容を変更する必要があることを申告して、管理者から鍵８６を借り受け、管理者の目の前でロック構造をロック解除操作して印字内容を変更する。さらに、印字内容が変更された日付印を捺印して、印字内容が適正であることを管理者が確認したのち、鍵８６を管理者に返却する。あるいは、鍵８６の管理者が一連の内容変更作業を行って、印字内容が変更された日付印を捺印者に渡す。
【００５２】
先に説明したように、マスター印５と印字ユニット６と補助印字体７の３者を捺印紙面に押付けて捺印する状態では、補助印字体７は、その印字面がマスター印５の印字面より下方へ突出している分だけ、他の印字面より大きな捺印反力を受ける。しかし、補助印字体７を支持するホルダー１９は補助印付勢構造で押し下げ付勢してあるので、図１５に示すように、先の捺印反力の大半は、補助印字体７とホルダー１９と可動枠６４が、補助印ばね６６の付勢力に抗して固定枠６５の側へスライドすることで吸収される。ホルダー１９および補助印字体７が、上方へ移動した状態を想像線で示している。
【００５３】
このように、捺印時における補助印字体７の上方移動動作は、可動枠６４が固定枠６５へ向かって接近移動する動作で吸収される。また、先の捺印反力の一部は、ゴム製の印字体４８が弾性変形することで吸収される。従って、印字体４８によって印字された印字文字が、潰れたり変形することはなく、マスター印５や印字ユニット６で印字された印字文字と同じ程度の印字品質が得られる。不使用時の日付印は、図２に想像線で示すスタンド８に起立姿勢で収納されて、マスター印５の印字面と、印字ユニット６の印字面と、補助印字体７の印字面のそれぞれが、スタンド８の内底に設けたインクマットに密着させてある。
【００５４】
図１６および図１７は、本発明に係る日付印の別の実施例を示している。そこでは、連結軸５０の外端にねじ頭状の操作部４６を一体に設け、この操作部４６の外端面をホルダー端壁５５の外面、即ち本体部１の外面に露出させて、操作部４６の中央にＹ字状の操作溝９３を設け、さらに、操作部４６の外端面の周方向一部に三角形状の位置指標９４を設けるようにした。また、操作部４６を支持するボス９５の周囲４個所に印字表示５１を配置して、操作溝９３に図示していない操作具を係合して操作部４６を回動操作することにより、位置指標９４を各印字表示５１と正対できるようにした。
【００５５】
なお、位置指標９４と正対する印字表示５１の表示内容は、印面部４５の支持体４７の下面側に位置する印字体４８の印字内容と一致させてある。他は先の実施例と同じであるので、同じ部材に同じ符号を付してその説明を省略する、以下に説明する実施例においても同じとする。図１６および図１７で説明した実施例から理解できるように、操作部４６は、その少なくとも一部が本体部１の外に露出する状態で配置してあればよく、また、印字表示５１は本体部１の外面に配置してあってもよい。印字表示５１は横長あるいは縦長に形成する必要はなく、ボス９５の周縁に沿って同心円状に形成することができる。
【００５６】
図１８ないし図２２は、本発明に係る日付印のさらに別の実施例を示している。この実施例における前後、左右、上下とは、図１９および図２１に示す交差矢印と、各矢印の近傍に表記した前後、左右、上下の表示に従う。そこでは、上下に長い本体部１と、本体部１の下部に配置される印字部２とで日付印を構成している。本体部１は、グリップ３を兼ねる外ケース１０１と、外ケース１０１の内部に固定される内ケース１０２とで構成してある。印字部２は、上向きに開口する有底筒状の印面台４を主要構造材にして構成してあり、印面台４の下面にマスター印５が固定され、印面台４の内部に印字ユニット６と、補助印字体７の印面部４５とが収容してある。本体部１と印字部２は、外ケース１０１の下部内面に設けたバヨネット溝１０３を、印面台４の上部の対向周面に設けた周方向に長い係合突起１０４と係合することにより、着脱可能に連結してある。
【００５７】
印字ユニット６は３個の要素印判１０５を連結して構成した組合わせ印からなり、各要素印判１０５を交換することにより、西暦または和暦の年号と、月、日を印字できる。要素印判１０５は、プラスチック製の印判本体１０６と、印判本体１０６の下面に固定したゴム印字体１０７とで構成してあり、印字印判本体１０６の左右側面には、要素印判１０５同士を連結するための連結突起１０８と連結溝１０９が形成され、印判本体１０６の前面側には位置決め突起１１０が突設してある。印面台４の内底には、印字ユニット６を差込み装着するためのボス部１１１が上向きに突設してあり、このボス部１１１に臨んで印字窓１３と、補助印字体７用の補助印字窓１４が開口してある。ボス部１１１より後側の空間が、補助印字体７の印面部４５を収容する収容空間４２となる。
【００５８】
補助印字体７の構造は、図１から図１５で説明した補助印字体の構造と基本的に同じであるが、印面部４５と操作部４６を印面台４の後壁の内外に配置する点と、連結軸５０の軸部分を断面四角形状に形成する点が異なっている。印面台４の後壁には、連結軸５０を受入れる軸受溝１１３が形成してある。軸受溝１１３は、連結軸５０を上下スライドのみ可能に案内する縦溝１１４と、縦溝１１４の上端の円形穴１１５とで鍵穴状に形成してある。図１８に示すように、補助印字体７は、連結軸５０が縦溝１１４の下端に位置する捺印位置と、連結軸５０が円形穴１１５の内部に位置する姿勢変更位置（図２２に示す位置）とに変位操作できる。
【００５９】
印字ユニット６を印面台４のボス部１１１に差込み、さらに連結軸５０を縦溝１１４の下端の捺印位置に位置させた状態で、外ケース１０１を印面台４に連結することにより捺印準備が完了する。この状態の印字ユニット６は、各要素印判１０５に設けた位置決め突起１１０がボス部１１１の上端面で受止められて、上下方向に位置決めされている。また、補助印字体７は、連結軸５０の下面が縦溝１１４の下端および印面台４の内底壁で受け止められて上下方向に位置決めされている。さらに、内ケース１０２の天井壁１１７が要素印判１０５の上端に接当して印字ユニット６の上方移動を規制し、内ケース１０２の下端面が連結軸５０の上面に接当して、補助印字体７の上方移動を規制している。従って、印字ユニット６および印面部４５の印字面と、マスター印５の印字面とを面一にして、これら三者の印字品質を好適化できる。
【００６０】
補助印字体７の印面部４５の印字内容を変更する場合には、外ケース１０１を印面台４から分離して、内ケース１０２による連結軸５０の拘束を解除する。次に、図２２に示すように補助印字体７の全体を姿勢変更位置まで移動操作して連結軸５０を円形穴１１５の内部に位置させ、この状態で操作部４６を回転操作することにより、印面部４５の下面に位置する印字体４８を切換えて、印字内容を変更することができる。必要とする印字体４８を選択したのちは、連結軸５０を縦溝１１４の下端まで移動させ、再び外ケース１０１を印面台４に連結することにより、印面部４５の印字内容の変更を終了する。図１８ないし図２２で説明した実施例から理解できるように、操作部４６は印字部２の外に露出する状態で配置することができる。
【００６１】
図２３は、本発明に係る日付印のさらに別の実施例を示している。この実施例に係る日付印の構造は、図１から図１５で説明した日付印の構造と基本的に同じであるが、後カバー１８ｂに操作凹部１２１を形成して、調整ダイヤル３２の後側の操作周面をも本体部１の外へ露出させるようにした。このように、調整ダイヤル３２の前後の操作周面が本体部１の外へ露出させてあると、ダイヤル周面の前後を指先でつまんだ状態で調整ダイヤル３２を回転操作できるので、調整ダイヤル３２による印字ベルト３４の送り操作および位置調整操作などを、より簡便にしかも的確に行うことができる。
【００６２】
図２３に示す日付印は、以下の形態で実施することができる。
調整ダイヤル３２のダイヤル軸３１が、本体部１の前後いずれか一方へ偏寄させてある日付印において
ダイヤル軸３１の偏寄方向とは逆側のカバー本体１８の壁面に操作凹部１２１を凹み形成して、調整ダイヤル３２の前後の操作周面のそれぞれが本体部１の外へ露出させてある日付印。
【００６３】
上記のように、印面台４の内部に組合わせ印からなる印字ユニット６と、補助印字体７の印面部４５を収容する日付印によれば、印字ユニット６の後側の収容空間４２を利用して印面部４５を配置できるので、日付印の全体構造を簡素化しながら、印面部４５の印字面の変更を簡単に行なうことができる。また、従来の印面台４の構造の一部を変更するだけで補助印字体７を付加できるので、補助印字体７を備えた日付印を低コストで提供できる。なお、図１８から図２２で説明した日付印においては、軸受溝１１３を印面台４の周壁の上端に至る縦溝１１４のみで構成して、連結軸５０を軸受溝１１３から抜外して印面台４から分離した状態で、印面部４５の下面に位置する印字体４８を切換えることができる。また、連結軸５０は断面四角形状に形成する必要はなく、断面円形に形成してあってもよい。その場合には、内ケース１０２の下端面と接当する部分のみが断面四角形状に形成してあればよい。
【００６４】
印面部４５は複数の印字体４８を備えていればよく、３個以上の印字体４８を備える状態で多角形状に形成してあってもよい。補助印字体７は、捺印者の社員番号、部署名、店名、あるいは食品の調理時間や賞味期限などを印字するものであってもよい。
【符号の説明】
【００６５】
１  本体部
２  印字部
４  印面台
５  マスター印
６  印字ユニット
７  補助印字体
１８  カバー本体
１９  （補助印字体の）ホルダー
２０  サイドカバー
３０  ベルトフレーム
３１  ダイヤル軸
３２  調整ダイヤル
３３  ブリッジ
３４  印字ベルト
４２  収容空間
４５  印面部
４６  操作部
５０  連結軸
５４  スライド壁
５５  ホルダー端壁
６４  可動枠
６５  固定枠
６６  補助印ばね
７２  シリンダー錠
７３  カバーロック体
【図１】
2015036204.tif 000003
【図２】
2015036204.tif 000004
【図３】
2015036204.tif 000005
【図４】
2015036204.tif 000006
【図５】
2015036204.tif 000007
【図６】
2015036204.tif 000008
【図７】
2015036204.tif 000009
【図８】
2015036204.tif 000010
【図９】
2015036204.tif 000011
【図１０】
2015036204.tif 000012
【図１１】
2015036204.tif 000013
【図１２】
2015036204.tif 000014
【図１３】
2015036204.tif 000015
【図１４】
2015036204.tif 000016
【図１５】
2015036204.tif 000017
【図１６】
2015036204.tif 000018
【図１７】
2015036204.tif 000019
【図１８】
2015036204.tif 000020
【図１９】
2015036204.tif 000021
【図２０】
2015036204.tif 000022
【図２１】
2015036204.tif 000023
【図２２】
2015036204.tif 000024
【図２３】
2015036204.tif 000025